(57)【要約】【課題】上層の画像領域の画像を表示した状態で下層の画像領域を操作する。【解決手段】画像領域としてのフレーム画像７３より下層の画像領域である差し込み写真枠７２が選択されたときには、フレーム画像７３を表示した状態で差し込み写真枠７２の外周部に相当する位置に操作枠７５を表示し、操作枠７５に対する操作、即ち画像領域の大きさの変更や位置の変更を制御する。この結果、上層の画像領域の画像を表示した状態で下層の画像領域を操作することができる。フレーム画像７３設定された透明領域７４に対して差し込み写真枠７２を操作するときには、透明領域７４に対する差し込み写真枠７２の位置を見ながらその大きさや位置を操作することができる。【選択図】　　　　図５
2004013329.tif 000002
【特許請求の範囲】
【請求項１】
画像を表示する画像領域のレイアウトを制御するレイアウト制御装置であって、
画像を表示する複数の画像領域を層をなして設定可能な画像領域設定手段と、
該設定された複数の画像領域のうち上層となる画像領域の画像を表示する表示制御手段と、
前記設定された複数の画像領域のいずれかを操作可能に選択する画像領域選択手段と、
を備え、
前記表示制御手段は、前記画像領域選択手段により選択された画像領域が上層の画像領域であるときには該画像領域の画像を表示した状態で該画像領域の操作用の操作枠を表示し、前記画像領域選択手段により選択された画像領域が下層の画像領域であるときには上層の画像領域の画像を表示した状態で該選択された画像領域の操作用の操作枠を表示する手段である
レイアウト制御装置。
【請求項２】
前記操作枠は、前記選択された画像領域の大きさを変更可能な枠である請求項１記載のレイアウト制御装置。
【請求項３】
前記操作枠は、前記選択された画像領域のレイアウト位置を変更可能な枠である請求項１または２記載のレイアウト制御装置。
【請求項４】
前記操作枠は、該操作枠の枠内の任意の領域の選択によりレイアウト位置を変更可能な枠である請求項３記載のレイアウト制御装置。
【請求項５】
前記設定された画像領域の層の順位を変更可能な層順位変更手段を備える請求項１ないし４いずれか記載のレイアウト制御装置。
【請求項６】
前記設定された複数の画像領域の各画像の表示および非表示を選択する表示選択手段を備える請求項１ないし５いずれか記載のレイアウト制御装置。
【請求項７】
前記設定された画像領域の画像に対して透明領域の設定が可能な透明領域設定手段を備える請求項１ないし６いずれか記載のレイアウト制御装置。
【請求項８】
請求項１ないし７いずれか記載のレイアウト制御装置であって、
印刷領域を設定する印刷領域設定手段を備え、
前記画像領域設定手段は、前記設定された印刷領域の領域内で設定する手段である
レイアウト制御装置。
【請求項９】
前記複数の画像領域は、少なくともフレーム画像を表示するフレーム画像領域と任意の画像を差し込みにより表示する差込画像領域とを含む領域である請求項１ないし８いずれか記載のレイアウト制御装置。
【請求項１０】
コンピュータを請求項１ないし９いずれか記載のレイアウト制御装置として機能させるプログラム。
【請求項１１】
画像を表示する複数の画像領域を層をなして設定されたときに該設定された複数の画像領域のうち上層となる画像領域の画像を表示するよう画像領域のレイアウトを制御するレイアウト制御方法であって、
画像領域を操作するために前記設定された複数の画像領域のいずれかが選択されたとき、前記選択された画像領域が上層の画像領域であるときには該画像領域の画像を表示した状態で該画像領域の操作用の操作枠を操作可能に表示し、前記選択された画像領域が下層の画像領域であるときには上層の画像領域の画像を表示した状態で該選択された該画像領域の操作用の操作枠を操作可能に表示する
レイアウト制御方法。
【発明の詳細な説明】
【０００１】
【発明の属する技術分野】
本発明は、画像領域制御装置およびこれを備えるレイアウト制御装置並びにこれらに用いるプログラム若しくは画像領域制御方法に関し、詳しくは、画像を表示する画像領域を操作可能に制御する画像領域制御装置およびこれを備えるレイアウト制御装置並びに画像領域制御装置およびレイアウト制御装置に用いるプログラム若しくは画像を表示する複数の画像領域を層をなして設定されたときに該設定された複数の画像領域のうち上層となる画像領域の画像を表示するよう制御する画像領域制御方法に関する。
【０００２】
【従来の技術】
従来、この種のレイアウト制御装置としては、画像を層をなして表示するものが提案されている（例えば、Ａｄｏｂｅ社の「Ｐｈｏｔｏｓｈｏｐ」をインストールしたコンピュータなど）。この装置では、層をなして表示された画像のうちのいずれかが選択されたときには、選択された画像を最前層に表示して画像への種々の操作を可能としている。
【０００３】
【発明が解決しようとする課題】
しかしながら、こうしたレイアウト制御装置では、選択された画像が最前層に表示されるから、下層の画像を選択したときには、下層の画像を上層の画像と位置関係を目視しながら種々の操作を行なうことができなかった。このため、上層の画像の一部に透明領域を設定し、下層の画像を設定した透明領域に表示する場合には、透明領域に表示される下層の画像の部分を見ながら下層の画像に対して種々の操作をすることができない。
【０００４】
本発明のレイアウト制御装置およびレイアウト制御方法は、上層の画像領域の画像を表示した状態で下層の画像領域を操作することを目的の一つとする。また、本発明のレイアウト制御装置およびレイアウト制御方法は、層をなして表示される画像領域の操作をより容易に行なうことを目的の一つとする。本発明のレイアウト制御装置用のプログラムは、コンピュータを本発明のレイアウト制御装置として機能させることを目的とする。
【０００５】
【課題を解決するための手段およびその作用・効果】
本発明のレイアウト制御装置およびレイアウト制御方法並びにレイアウト制御装置に用いるプログラムは、上述の目的の少なくとも一部を達成するために以下の手段を採った。
【０００６】
本発明のレイアウト制御装置は、
画像を表示する画像領域のレイアウトを制御するレイアウト制御装置であって、
画像を表示する複数の画像領域を層をなして設定可能な画像領域設定手段と、
該設定された複数の画像領域のうち上層となる画像領域の画像を表示する表示制御手段と、
前記設定された複数の画像領域のいずれかを操作可能に選択する画像領域選択手段と、
を備え、
前記表示制御手段は、前記画像領域選択手段により選択された画像領域が上層の画像領域であるときには該画像領域の画像を表示した状態で該画像領域の操作用の操作枠を表示し、前記画像領域選択手段により選択された画像領域が下層の画像領域であるときには上層の画像領域の画像を表示した状態で該選択された画像領域の操作用の操作枠を表示する手段である
ことを要旨とする。
【０００７】
この本発明のレイアウト制御装置では、層をなして表示された画像領域のうちのいずれかの画像領域が操作するために選択されると、選択された画像領域が上層の画像領域であるときにはその画像領域の画像を表示した状態で画像領域の操作用の操作枠を表示し、選択された画像領域が下層の画像領域であるときには上層の画像領域の画像を表示した状態で選択された画像領域の操作用の操作枠を表示するから、上層の画像領域の画像を表示した状態で下層の画像領域に対する操作を行なうことができる。この結果、下層の画像領域の操作をより容易に行なうことができる。
【０００８】
こうした本発明のレイアウト制御装置において、前記操作枠は、前記選択された画像領域の大きさを変更可能な枠であるものとすることもできる。また、前記操作枠は、前記選択された画像領域のレイアウト位置を変更可能な枠であるものとすることもできる。この場合、操作枠の枠内の任意の領域の選択によりレイアウト位置を変更可能な枠であるものとすることもできる。なお、操作枠に対する操作は、画像領域の大きさの変更やレイアウト位置の変更に限定されるものではなく、その他の種々の操作を行なうものとしてもよい。
【０００９】
また、本発明のレイアウト制御装置において、前記設定された画像領域の層の順位を変更可能な層順位変更手段を備えるものとすることもできる。こうすれば、画像領域の層の順位、即ち上層下層を任意に入れ替えることができる。
【００１０】
さらに、本発明のレイアウト制御装置において、前記設定された複数の画像領域の各画像の表示および非表示を選択する表示選択手段を備えるものとすることもできる。こうすれば、任意の層の画像領域の画像の表示および非表示を選択できるから、画像領域の操作の際の表示を所望の画像領域の画像を表示しながら行なうことができる。
【００１１】
あるいは、本発明のレイアウト制御装置において、前記設定された画像領域の画像に対して透明領域の設定が可能な透明領域設定手段を備えるものとすることもできる。こうすれば、画像領域の画像に対して透明領域を設定することができる。この結果、透明領域が設定された画像の画像領域より下層の画像領域を操作するときには、透明領域に表示される下層の画像を見ながら下層の画像領域の操作を行なうことができる。
【００１２】
また、本発明のレイアウト制御装置において、印刷領域を設定する印刷領域設定手段を備え、前記画像領域設定手段は前記設定された印刷領域の領域内で設定する手段であるものとすることもできる。こうすれば、レイアウト制御装置を印刷の際の画像のレイアウトに用いることができる。
【００１３】
本発明のレイアウト制御装置において、前記複数の画像領域は、少なくともフレーム画像を表示するフレーム画像領域と任意の画像を差し込みにより表示する差込画像領域とを含む領域であるものとすることもできる。こうすれば、フレーム画像に任意の画像を差し込んで用いるレイアウトを行なうことができる。
【００１４】
本発明のレイアウト制御装置用のプログラムは、コンピュータを、上述のいずれかの態様の本発明のレイアウト制御装置、即ち、基本的には、画像を表示する画像領域のレイアウトを制御するレイアウト制御装置であって、画像を表示する複数の画像領域を層をなして設定可能な画像領域設定手段と、該設定された複数の画像領域のうち上層となる画像領域の画像を表示する表示制御手段と、前記設定された複数の画像領域のいずれかを操作可能に選択する画像領域選択手段と、を備え、前記表示制御手段は、前記画像領域選択手段により選択された画像領域が上層の画像領域であるときには該画像領域の画像を表示した状態で該画像領域の操作用の操作枠を表示し、前記画像領域選択手段により選択された画像領域が下層の画像領域であるときには上層の画像領域の画像を表示した状態で該選択された画像領域の操作用の操作枠を表示する手段であるレイアウト制御装置として機能させるものとすることもできる。
【００１５】
この本発明のレイアウト制御装置用のプログラムでは、コンピュータを上述のいずれかの態様の本発明のレイアウト制御装置として機能させるから、本発明のレイアウト制御装置が奏する効果、例えば上層の画像領域の画像を表示した状態で下層の画像領域に対する操作を行なうことができる効果などを奏することができる。
【００１６】
本発明のレイアウト制御方法は、
画像を表示する複数の画像領域を層をなして設定されたときに該設定された複数の画像領域のうち上層となる画像領域の画像を表示するよう画像領域のレイアウトを制御するレイアウト制御方法であって、
画像領域を操作するために前記設定された複数の画像領域のいずれかが選択されたとき、前記選択された画像領域が上層の画像領域であるときには該画像領域の画像を表示した状態で該画像領域の操作用の操作枠を操作可能に表示し、前記選択された画像領域が下層の画像領域であるときには上層の画像領域の画像を表示した状態で該選択された該画像領域の操作用の操作枠を操作可能に表示する
ことを要旨とする。
【００１７】
この本発明のレイアウト制御方法によれば、画像領域を操作するために複数の画像領域のいずれかを選択すると、選択された画像領域が上層の画像領域であるときには画像領域の画像を表示した状態で画像領域の操作用の操作枠を操作可能に表示し、選択された画像領域が下層の画像領域であるときには上層の画像領域の画像を表示した状態で選択された該画像領域の操作用の操作枠を操作可能に表示するから、上層の画像領域の画像を表示した状態で下層の画像領域に対する操作を行なうことができる。
【００１８】
【発明の実施の形態】
次に、本発明の実施の形態を実施例を用いて説明する。図１は、本発明の一実施例であるレイアウト制御装置２０を含む印刷システムの構成の概略を示す構成図である。実施例のレイアウト制御装置２０は、画像を印刷するための画像領域をレイアウトするレイアウト制御プログラムがインストールされた汎用のパーソナルコンピュータとして構成されており、キーボードやマウスなどの入力デバイスを介してユーザからのコマンドを入力する入力部２２と、ディスプレイとしての表示部２４と、プログラムや画像などのデータを記憶する記憶部２６と、所定の演算を行なうと共に全体をコントロールする制御部２８とを備える。また、実施例のレイアウト制御装置２０には、プリンタ１２が接続されている。このプリンタ１２は、レイアウト制御装置２０として機能するパーソナルコンピュータからの印刷指示に基づいてレイアウトされた画像などを印刷用紙に印刷する。
【００１９】
図２は、実施例のレイアウト制御装置２０により実行されるメインルーチンの一例を示すフローチャートである。この処理は、パーソナルコンピュータによりレイアウト制御プログラムが実行されたときの処理である。実施例のレイアウト制御装置２０では、まず、図３に例示する用紙設定画面３０を用いて用紙サイズや用紙方向，印刷可能領域などの設定処理を実行する（ステップＳ１００）。図３の例では、用紙サイズについてはプルダウンメニューにより選択できるようになっており、用紙方向については選択的なボタンにより「縦」と「横」とが選択できるようになっている。また、印刷可能領域については、四辺に標準の縁（マージン）が設定された「標準」と最大の印刷可能領域を設定する「最大」と縁なし印刷が可能な「四辺フチなし」とが選択できるようになっている。ここで、「四辺フチなし」では、印刷時の用紙の位置ズレに伴って僅かな余白部が生じないようマイナス値のマージンが設定されるようになっている。また、用紙サイズで「ロール紙」が設定されたときには、印刷終了時に自動的に切断する「オートカッター」の設定もできるようになっている。
【００２０】
こうして用紙設定画面３０による各設定が選択されて編集ボタン３２が選択されると、図４に例示するレイアウト作業画面４０とツールボックス画面５０とを用いてレイアウト作成編集処理を実行する（ステップＳ１１０）。図４に例示するレイアウト作業画面４０には、用紙領域４１と印刷可能領域４２とが表示される作業領域４３と、ファイル操作や編集などをプルダウンメニューによる選択で行なうツールバー４４とが表示される。ツールボックス画面５０には、レイアウト作業画面４０の印刷可能領域４２内に対する種々の操作を行なうための各種ボタン５１〜６０と、印刷可能領域４２に表示された画像領域の層の順位や表示および非表示を表示する画像領域表示操作部６１と、レイアウト作業画面４０の印刷可能領域４２に設定された画像領域のうち選択された画像領域の印刷可能領域４２に対する位置情報を表示する位置情報表示部６８とが表示される。ツールボックス画面５０に表示されたボタンとしては、写真などの画像を差し込み可能な画像領域を設定するための差し込み写真枠ボタン５１や画像を読み込んで写真などの画像の背景やフレームや飾りなどを作成するための画像領域を設定するための背景・フレーム・飾り枠ボタン５２、文字列を入力する領域を設定するための文字列ボタン５３、直線を描くための直線ボタン５４、画像領域を選択するための選択ボタン５５、選択された画像領域を削除する削除ボタン５６、選択された画像領域を最前面の層に移行する最前面ボタン５７、選択された画像領域を一つ前面の層に移行させる前面ボタン５８、選択された画像領域を最背面の層に移行する最背面ボタン５９、選択された画像領域を一つ背面の層に移行させる背面ボタン６０が用意されている。
【００２１】
図５に差し込み写真枠ボタン５１により差し込み写真枠７１，７２が設定されると共に背景・フレーム・飾り枠ボタン５２によりフレーム画像７３が設定されたときのレイアウト作業画面４０とツールボックス画面５０とを示す。図示するように、レイアウト作業画面４０には差し込み写真枠７１，差し込み写真枠７２，フレーム画像７３が表示され、ツールボックス画面５０の画像領域表示操作部６１にはレイアウト作業画面４０の印刷可能領域４２に設定された画像領域としての差し込み写真枠７１に対応する差し込み写真枠１の操作ボタン６２，フレーム画像７３に対応する「Ｉｍａｇｅ００７．ｊｐｇ」の操作ボタン６３，差し込み写真枠７２に対応する差し込み写真枠２の操作ボタン６４が上層から順に上から表示され、位置情報表示部６８にはレイアウト作業画面４０の印刷可能領域４２内で選択されている画像領域（図５では差し込み写真枠７２）の印刷可能領域４２内における位置が表示される。レイアウト作業画面４０の印刷可能領域４２内に設定された画像領域を操作するための選択は、マウスにより指示ポインタを所望の画像領域内となるようにした状態で左クリックすることにより行なうこともできるが、下層の画像領域を選択するときには、ツールボックス画面５０の画像領域表示操作部６１に表示された操作ボタン６２〜６４のうちの所望の画像領域に相当するものに指示ポインタを合わせてマウスを左クリックすることにより行なうことができる。図５の例では、画像領域表示操作部６１の操作ボタン６４をマウスでクリックしてレイアウト作業画面４０におけるフレーム画像７３の下層に位置する差し込み写真枠７２を選択した状態を示す。下層の画像領域が選択されると、上層の画像領域の画像を表示した状態で選択された画像領域の外周部に相当する位置に操作用の操作枠７５を表示する。また、各操作ボタン６２〜６４には、対応する画像領域の画像の表示および非表示を選択する表示選択ボタン６５が設けられている。
【００２２】
レイアウト作業画面４０の印刷可能領域４２内に設定されるフレーム画像７３には、ハート形の透明領域７４が設定されており、この設定された透明領域７４には下層の差し込み写真枠７２の相当する部分が見えるようになっている。透明領域７４の設定は、フレーム画像７３を選択した状態でフレーム画像７３の領域内に指示ポインタを合わせてマウスを右クリックすることにより表示される図示しないメニューから「透明範囲設定」を選択し、この選択により表示される図６に例示する透明範囲設定画面８０を用いて行なうことができる。図６の例の透明範囲設定画面８０には、レイアウト作業画面４０で選択されたフレーム画像７３を表示して操作する画像表示操作部８１、画像表示操作部８１に表示されたフレーム画像７３に矩形や円，ハート形状などの透明領域を設定するための透明形状ボタン８２、設定した透明領域を削除するための消しゴムボタン８３、透明領域の設定や削除の際の指示ポインタにおける範囲を設定する範囲設定ボタン８４、画像を拡大表示する拡大ボタン８５、画像を縮小表示する縮小ボタン８６、実行した操作を一つ戻す戻しボタン８７、透明領域の境界のボカシの程度を０〜１００％の範囲で設定するボカシ度設定部８８、透明領域の透明度を０〜１００％の範囲で設定する透明度設定部８９が表示される。
【００２３】
フレーム画像７３における透明領域７４は、フレーム画像７３をレッド（Ｒ），グリーン（Ｇ），ブルー（Ｂ）の３原色の各々についての８ビットの階調値を持つ３つのチャンネルと透明性に関する８ビットの階調値をもつ第４のチャンネル（以下、アルファチャンネルという）とにより構成し、透明領域７４に対する設定をアルファチャンネルに対して行なうことにより実現することができる。アルファチャンネルは、画素毎に８ビット（０〜２５５）のデータ値を有し、データ値が値０のときに完全に不透明なもの、データ値が値２５５のときに完全に透明なもの、中間値においてはその値の程度の透明を得るものと定義されており、次式によって画像の各画素の階調値が決定される。ここで、式中、Ｒ，Ｇ，Ｂは合成後の階調値であり、Ｒｐ，Ｇｐ，Ｂｐは下層に位置する画像の階調値であり、Ｒｔ，Ｇｔ，Ｂｔは上層に位置する画像の階調値であり、Ａはアルファチャンネルのデータ値である。
【００２４】
Ｒ＝｛Ｒｐ×Ａ＋Ｒｔ×（２５５−Ａ）／２５５
Ｇ＝｛Ｇｐ×Ａ＋Ｇｔ×（２５５−Ａ）／２５５
Ｂ＝｛Ｇｐ×Ａ＋Ｇｔ×（２５５−Ａ）／２５５
【００２５】
したがって、フレーム画像７３における透明領域７４の設定は、透明形状ボタン８２のいずれかを用いて透明領域として設定されたときに、フレーム画像７３に透明領域として設定された領域に相当するフレーム画像７３のアルファチャンネルのデータ値を透明度設定部８９により設定された透明度に相当する値に書き替えることにより行なうことができる。
【００２６】
以上、実施例のレイアウト制御装置２０におけるレイアウト作成編集処理について説明した。以下に、本発明の中核をなす画像領域の操作処理について説明する。画像領域の操作処理は、図５に例示するように、複数の画像領域がレイアウト作業画面４０の印刷可能領域４２内に設定されているときに選択した画像領域の大きさや位置を変更する際の処理であり、図７に例示する操作処理ルーチンを実行することにより行なわれる。具体的な例として、図５に示すように、フレーム画像７３より下層の画像領域である差し込み写真枠７２が選択されているときについて説明する。フレーム画像７３より下層の画像領域である差し込み写真枠７２が選択されると、前述したように、フレーム画像７３を表示した状態で選択された差し込み写真枠７２の外周部に相当する位置に操作用の操作枠７５が表示される。
【００２７】
画像領域の操作処理では、まず、マウスなどにより画面上を移動可能な指示ポインタの位置を判定する（ステップＳ２００）。指示ポインタが選択された画像領域の操作枠７５の外側に位置すると判定されたときには、マウスの左クリックの操作に基づいて指示ポインタが位置する画像領域を選択する処理が行なわれる（ステップＳ２１０）。即ち、現在選択されている画像領域に代えて新たな画像領域を選択することができるのである。
【００２８】
指示ポインタが選択された画像領域の操作枠７５における操作ポイント７６上に位置すると判定されたときには、マウスの左クリックのドラッグ操作に基づいて選択された画像領域の領域の大きさを変更する処理が行なわれる（ステップＳ２２０）。操作枠７５には、四隅と各辺の中央の計８個の操作ポイント７６が設けられており、四隅の操作ポイントではその操作ポイントを斜め方向に移動させることにより画像領域を斜め方向に大きさを変更することができ、各辺の中央の操作ポイントではその操作ポイントを辺に対して垂直方向に移動させることによりその画像領域の大きさを変更することができるようになっている。図８に画像領域の右下の隅の操作ポイント７６に指示ポインタ７７を合わせて画像領域の大きさを変更している様子の一例を示す。この例では、指示ポインタ７７が選択された画像領域の操作枠７５における操作ポイント７６上に位置するときには、指示ポインタ７７の形状を画像領域の大きさを変更させる方向を示す双方向矢印に変更して表示するものとし、操作者に画像領域の大きさを変更する処理が可能であることを示すものとした。こうした画像領域の大きさを変更する手法はＣＡＤや作図ソフトなどでよく用いられている手法であるから、これ以上の説明は省略する。実施例では、選択された画像が上層であるか下層であるかに拘わらず、画像領域の大きさを変更する処理が行なわれるから、選択された画像領域が図５に例示するようにフレーム画像７３の下層の差し込み写真枠７２である場合で差し込み写真枠７２がフレーム画像７３の透明領域７４に位置する場合には、フレーム画像７３の透明領域７４に対する差し込み写真枠７２の位置を見ながら差し込み写真枠７２の大きさを変更することができる。この場合、フレーム画像７３の透明領域７４を介して差し込み写真枠７２の画像を見ながら差し込み写真枠７２の大きさの変更ができるものとすれば、更に好適なものとなる。
【００２９】
指示ポインタが選択された画像領域の操作枠７５の枠内に位置すると判定されたときには、マウスの左クリックのドラッグ操作に基づいて選択された画像領域の位置を変更する処理が行なわれる（ステップＳ２２０）。図９に画像領域の枠内に指示ポインタ７７を合わせて画像領域の位置を変更している様子の一例を示す。この例では、指示ポインタ７７が選択された画像領域の操作枠７５の枠内に位置するときには、指示ポインタ７７の形状を４個の矢印を十字に配置した形状に変更して表示するものとし、操作者に画像領域の位置を変更する処理が可能であることを示すものとした。この画像領域の位置を変更する処理も選択された画像が上層であるか下層であるかに拘わらずに行なわれるから、選択された画像領域が図５に例示するような場合には、フレーム画像７３の透明領域７４に対する差し込み写真枠７２の位置を見ながら差し込み写真枠７２の位置を変更することができる。この場合、フレーム画像７３の透明領域７４を介して差し込み写真枠７２の画像を見ながら差し込み写真枠７２の位置の変更ができるものとすれば、更に好適なものとなる。
【００３０】
こうして各画像領域の位置や大きさが調整されると、調整された全体をレイアウト画像として保存することができると共にこのレイアウト画像の差し込み写真枠７１や差し込み写真枠７２に所望の画像（写真）を差し込んで印刷することができる。例えば図５の例では、差し込み写真枠７２に顔写真を差し込むものとすれば、背景の画像としてのフレーム画像７３のハート形に形成した透明領域７４に差し込んだ顔写真が表示された状態のものとして印刷することができる。
【００３１】
以上説明した実施例のレイアウト制御装置２０によれば、層をなして設定された画像領域のうち下層の画像領域を選択したときには、上層の画像領域の画像を表示した状態で選択された画像領域の外周部に相当する位置に操作用の操作枠７５を表示し、操作枠７５による下層の画像領域の大きさの変更や位置の変更などの操作を可能とするから、上層の画像領域の画像との関係で下層の画像領域の大きさや位置を変更することができる。特に、上層の画像領域の画像に透明領域７４が設定されている場合には、下層の画像領域の大きさの変更や位置の変更を透明領域７４に対する位置関係を見ながら行なうことができる。
【００３２】
実施例のレイアウト制御装置２０では、指示ポインタ７７が選択された画像領域の操作枠７５における操作ポイント７６上に位置するときには指示ポインタ７７の形状を画像領域の大きさを変更させる方向を示す双方向矢印に変更して表示し、指示ポインタ７７が選択された画像領域の操作枠７５の枠内に位置するときには指示ポインタ７７の形状を４個の矢印を十字に配置した形状に変更して表示するものとしたが、変更して表示する指示ポインタ７７の形状は如何なるものとしてもよいし、指示ポインタ７７の形状を変更して表示しないものとしても差し支えない。
【００３３】
実施例では、層をなして設定された画像領域のうち下層の画像領域に対する操作に関する発明をレイアウト制御装置として説明したが、層をなして設定された画像領域のうち下層の画像領域に対する操作に対する制御方法の形態としてもよく、また、コンピュータを実施例のレイアウト制御装置２０として機能させるプログラムの形態としてもよいのは勿論である。制御方法の形態とする場合には、実施例のレイアウト制御装置２０が実行する各処理を各制御として考えればよく、プログラムの形態とする場合には、実施例のレイアウト制御装置２０が実行する各処理を各手順として適当なプログラミング言語を用いてプログラムすればよい。
【００３４】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】本発明の一実施例であるレイアウト制御装置２０を含む印刷システムの構成の概略を示す構成図である。
【図２】実施例のレイアウト制御装置２０により実行されるメインルーチンの一例を示すフローチャートである。
【図３】用紙設定画面３０の一例を示す説明図である。
【図４】レイアウト作業画面４０とツールボックス画面５０の一例を示す説明図である。
【図５】差し込み写真枠７１，７２とフレーム画像７３が設定されたときのレイアウト作業画面４０とツールボックス画面５０とを示す説明図である。
【図６】透明範囲設定画面８０の一例を示す説明図である。
【図７】レイアウト制御装置２０により実行される操作処理ルーチンの一例を示すフローチャートである。
【図８】画像領域の大きさを変更している様子の一例を示す説明図である。
【図９】画像領域の位置を変更している様子を示す説明図である。
【符号の説明】
１２　プリンタ、２０　レイアウト制御装置、２２　入力部、２４　表示部、２６　記憶部、２８　制御部、３０　用紙設定画面、３２　編集ボタン、４０　レイアウト作業画面、４１　用紙領域、４２　印刷可能領域、４３　作業領域、４４　ツールバー、５０　ツールボックス画面、５１　差し込み写真枠ボタン、５２　背景・フレーム・飾り枠ボタン、５３　文字列ボタン、５４　直線ボタン、５６　削除ボタン、５７　最前面ボタン、５８　前面ボタン、５９　最背面ボタン、６０　背面ボタン、６１　画像領域表示操作部、６２〜６４　操作ボタン、６５　表示選択ボタン、６８　位置情報表示部、７１，７２　差し込み写真枠、７３　フレーム画像、７４　透明領域、７５　操作枠、７６　操作ポイント、７７　指示ポインタ、８０　透明範囲設定画面、８１　画像表示操作部、８２　透明形状ボタン、８３　消しゴムボタン、８４　範囲設定ボタン、８５　拡大ボタン、８６　縮小ボタン、８７　戻しボタン、８８　ボカシ度設定部、８９　透明度設定部。
【図１】
2004013329.tif 000003
【図２】
2004013329.tif 000004
【図３】
2004013329.tif 000005
【図４】
2004013329.tif 000006
【図５】
2004013329.tif 000007
【図６】
2004013329.tif 000008
【図７】
2004013329.tif 000009
【図８】
2004013329.tif 000010
【図９】
2004013329.tif 000011